(57)【要約】【課題】車両がアクセル開度に応じた加速を超える急加速をしてしまう危険な状態にあることを認識させることができる運転支援装置を提供する。【解決手段】運転支援装置は、車両状態判定手段Ｐ３によって、加速度検出手段Ｐ１にて検出された加速度及びアクセル開度検出手段Ｐ２にて検出されたアクセル開度によって特定されたマップ情報記憶手段Ｄ１に記憶された車両状態判定マップ情報の領域が、高加速度範囲及び低アクセル開度範囲で区画された領域であるとき、車両が危険な状態にあると判定する。そして、車両状態表示手段Ｐ４によって、車両状態判定手段Ｐ３にて判定された車両の状態に応じた情報を表示する。【選択図】図１
2013155629.tif 000002
【特許請求の範囲】
【請求項１】
車両の運転を支援する運転支援装置において、
前記車両の加速度を検出する加速度検出手段と、
前記車両のアクセル開度を検出するアクセル開度検出手段と、
前記加速度検出手段にて検出された前記加速度及び前記アクセル開度検出手段にて検出された前記アクセル開度を、前記車両の加速度及び前記車両のアクセル開度と前記車両の状態との関係を示す所定の車両状態判定マップ情報に当てはめて、前記車両の状態を判定する車両状態判定手段と、
前記車両状態判定手段にて判定された前記車両の状態に応じた情報を表示する車両状態表示手段と、を有し、
前記車両状態判定手段は、前記加速度検出手段にて検出された前記加速度及び前記アクセル開度検出手段にて検出された前記アクセル開度によって特定された前記車両状態判定マップ情報の領域が、前記車両の加速度が取りうる値の範囲の一部である所定の高加速度範囲及び前記車両のアクセル開度が取りうる値の範囲の一部である所定の低アクセル開度範囲で区画された領域であるとき、前記車両が危険な状態にあると判定するように構成されている
ことを特徴とする運転支援装置。
【請求項２】
前記車両状態判定手段は、さらに、前記加速度検出手段にて検出された前記加速度及び前記アクセル開度検出手段にて検出された前記アクセル開度によって特定された前記車両状態判定マップ情報の領域が、前記高加速度範囲及び前記低アクセル開度範囲の上限値より大きい値からなる前記車両のアクセル開度が取りうる値の範囲の他の一部である所定の高アクセル開度範囲で区画された領域であるとき、前記車両が危険な状態にあり且つ燃費の悪い状態にあると判定するように構成されていることを特徴とする請求項１に記載の運転支援装置。
【請求項３】
前記車両状態判定手段は、さらに、前記加速度検出手段にて検出された前記加速度及び前記アクセル開度検出手段にて検出された前記アクセル開度によって特定された前記車両状態判定マップ情報の前記領域が、前記高加速度範囲の下限値より小さい値からなる前記車両の加速度が取りうる値の範囲の他の一部である所定の低加速度範囲及び前記高アクセル開度範囲で区画された領域であるとき、前記車両が燃費の悪い状態にあると判定するように構成されていることを特徴とする請求項１又は２に記載の運転支援装置。
【請求項４】
前記車両状態判定手段は、さらに、前記加速度検出手段にて検出された前記加速度及び前記アクセル開度検出手段にて検出された前記アクセル開度によって特定された前記車両状態判定マップ情報の前記領域が前記低加速度範囲及び前記低アクセル開度範囲で区画された領域であるとき、前記車両が危険な状態になく且つ燃費の悪い状態にないと判定するように構成されていることを特徴とする請求項１〜３のいずれか一項に記載の運転支援装置。
【発明の詳細な説明】
【技術分野】
【０００１】
本発明は、車両の運転を支援する運転支援装置に関するものである。
【背景技術】
【０００２】
従来、車両に搭載された運行記録装置から読み出されるデータを利用して、運転者の運転技量を評価するための装置が知られている。例えば、特許文献１に記載された評価装置は、車両を加速させる場合に加速とともに緩やかにアクセルペダルを踏み込んでいくことで燃費の良い経済的な運転を実現できることを利用して、単位時間当たりのアクセルペダルの踏み込み量に基づいて運転技量を評価していた。
【先行技術文献】
【特許文献】
【０００３】
【特許文献１】特開２００７−３３３９６号公報
【発明の概要】
【発明が解決しようとする課題】
【０００４】
しかしながら、特許文献１の評価装置においては、アクセルペダルの踏み込み量（即ち、アクセルの開度）に基づいて経済的な運転操作か否かを評価するものであったが、例えば、車両が下り坂を走行している場合などでは、速度低下が無いのでアクセルペダルの踏み込み量が少なく良好な運転操作と判定されるところ、運転者が意図しないにもかかわらず、車両が下り坂によって必要以上に急加速されてしまった危険な状態にある場合などについても同様に良好な運転操作と判定されてしまうので、適切な評価ができないという問題があった。
【０００５】
本発明は、かかる問題を解決することを目的としている。即ち、本発明は、車両がアクセル開度に応じた加速を超える急加速をしてしまう危険な状態にあることを認識させることができる運転支援装置を提供することを目的としている。
【課題を解決するための手段】
【０００６】
請求項１に記載された発明は、上記目的を達成するために、図１の基本構成図に示すように、車両の運転を支援する運転支援装置において、前記車両の加速度を検出する加速度検出手段Ｐ１と、前記車両のアクセル開度を検出するアクセル開度検出手段Ｐ２と、前記加速度検出手段Ｐ１にて検出された前記加速度及び前記アクセル開度検出手段Ｐ２にて検出された前記アクセル開度を、前記車両の加速度及び前記車両のアクセル開度と前記車両の状態との関係を示す所定の車両状態判定マップ情報に当てはめて、前記車両の状態を判定する車両状態判定手段Ｐ３と、前記車両状態判定手段Ｐ３にて判定された前記車両の状態に応じた情報を表示する車両状態表示手段Ｐ４と、を有し、前記車両状態判定手段Ｐ３は、前記加速度検出手段Ｐ１にて検出された前記加速度及び前記アクセル開度検出手段Ｐ２にて検出された前記アクセル開度によって特定された前記車両状態判定マップ情報の領域が、前記車両の加速度が取りうる値の範囲の一部である所定の高加速度範囲及び前記車両のアクセル開度が取りうる値の範囲の一部である所定の低アクセル開度範囲で区画された領域であるとき、前記車両が危険な状態にあると判定するように構成されていることを特徴とする運転支援装置である。
【０００７】
請求項２に記載された発明は、請求項１に記載された発明において、前記車両状態判定手段Ｐ３は、さらに、前記加速度検出手段Ｐ１にて検出された前記加速度及び前記アクセル開度検出手段Ｐ２にて検出された前記アクセル開度によって特定された前記車両状態判定マップ情報の領域が、前記高加速度範囲及び前記低アクセル開度範囲の上限値より大きい値からなる前記車両のアクセル開度が取りうる値の範囲の他の一部である所定の高アクセル開度範囲で区画された領域であるとき、前記車両が危険な状態にあり且つ燃費の悪い状態にあると判定するように構成されていることを特徴とするものである。
【０００８】
請求項３に記載された発明は、請求項１又は２に記載された発明において、前記車両状態判定手段Ｐ３は、さらに、前記加速度検出手段Ｐ１にて検出された前記加速度及び前記アクセル開度検出手段Ｐ２にて検出された前記アクセル開度によって特定された前記車両状態判定マップ情報の前記領域が、前記高加速度範囲の下限値より小さい値からなる前記車両の加速度が取りうる値の範囲の他の一部である所定の低加速度範囲及び前記高アクセル開度範囲で区画された領域であるとき、前記車両が燃費の悪い状態にあると判定するように構成されていることを特徴とするものである。
【０００９】
請求項４に記載された発明は、請求項１〜３のいずれか一項に記載された発明において、前記車両状態判定手段Ｐ３は、さらに、前記加速度検出手段Ｐ１にて検出された前記加速度及び前記アクセル開度検出手段Ｐ２にて検出された前記アクセル開度によって特定された前記車両状態判定マップ情報の前記領域が前記低加速度範囲及び前記低アクセル開度範囲で区画された領域であるとき、前記車両が危険な状態になく且つ燃費の悪い状態にないと判定するように構成されていることを特徴とするものである。
【発明の効果】
【００１０】
請求項１に記載された発明によれば、車両の加速度及びアクセル開度によって特定された車両状態判定マップ情報の領域が、所定の高加速度範囲及び所定の低アクセル開度範囲で区画された領域であるとき、当該車両が危険な状態にあると判定して、その状態に応じた情報を表示するので、車両状態判定マップ情報を適切に設定することで、車両が、アクセル開度が小さいにもかかわらず注意を要する加速度で急加速している状態、つまり、アクセル開度に応じた加速を超える急加速をしてしまう危険な状態となるような運転操作をしていることを運転者に認識させることができる。これにより、車両の走行中に取得した加速度及びアクセル開度に基づいてリアルタイムで上記状態を表示して、走行中に運転者に注意を促したり、又は、車両の走行中に収集した加速度及びアクセル開度について走行後に解析して上記状態を表示して、走行後に運転者に運転指導したりして、車両の運転を支援することができる。
【００１１】
請求項２に記載された発明によれば、さらに、車両の加速度及びアクセル開度によって特定された車両状態判定マップ情報の領域が、所定の高加速度範囲及び所定の高アクセル開度範囲で区画された領域であるとき、当該車両が危険な状態にあり且つ燃費の悪い状態にあると判定して、その状態に応じた情報を表示するので、車両状態判定マップ情報を適切に設定することで、車両が、アクセルの開き過ぎにより注意を要する加速度で急加速している状態、つまり、危険で且つ燃費の悪い状態となるような運転操作をしていること運転者に認識させることができる。
【００１２】
請求項３に記載された発明によれば、さらに、車両の加速度及びアクセル開度によって特定された車両状態判定マップ情報の領域が、所定の低加速度範囲及び所定の高アクセル開度範囲で区画された領域であるとき、当該車両が燃費の悪い状態にあると判定して、その状態に応じた情報を表示するので、車両状態判定マップ情報を適切に設定することで、車両が、アクセルの開度が大きいにもかかわらず十分に加速していない状態、つまり、アクセルの開度に応じた加速を下回る緩い加速をしてしまう燃費の悪い状態となるような運転操作をしていることを運転者に認識させることができる。
【００１３】
請求項４に記載された発明によれば、さらに、車両の加速度及びアクセル開度によって特定された車両状態判定マップ情報の領域が所定の低加速度範囲及び所定の低アクセル開度範囲で区画された領域であるとき、当該車両が危険な状態になく且つ燃費の悪い状態にないと判定して、その状態に応じた情報を表示するので、車両状態判定マップ情報を適切に設定することで、車両が、アクセルの開度に応じた効率の良い加速度で走行している状態、つまり、安全で燃費の良い状態となるような運転操作をしていることを運転者に認識させることができる。
【図面の簡単な説明】
【００１４】
【図１】本発明の運転支援装置の基本構成を示す図である。
【図２】本発明に係る運転支援装置の一実施形態であるデジタルタコグラフの正面図であって、（ａ）は、カバーを閉じた状態を示す図であり、（ｂ）は、カバーを開いた状態を示す図である。
【図３】図２のデジタルタコグラフの構成図である。
【図４】図３のＣＰＵが実行する本発明に係る処理（車両状態表示処理）の一例を示すフローチャートである。
【図５】図２のデジタルタコグラフが備える不揮発性メモリに記憶された車両状態判定マップ情報の一例を示す図である。
【図６】図５の車両状態判定マップ情報の第１の変形例を示す図である。
【図７】図５の車両状態判定マップ情報の第２の変形例を示す図である。
【図８】図５の車両状態判定マップ情報の第３の変形例を示す図である。
【発明を実施するための形態】
【００１５】
以下、本発明の運転支援装置の一実施形態である運行記録計としてのデジタルタコグラフを、図２〜図８を参照して説明する。
【００１６】
以下に説明するデジタルタコグラフ１は、トラックやトレーラなどの荷物運搬用の車両に搭載されており、当該車両における速度やエンジン回転数、走行している位置などの車両データを収集して運行情報としてメモリカード２３に記録するものである。さらに、デジタルタコグラフ１は、アクセル開度センサ２４が接続されており、所定のタイミングで車両のアクセルの開度を検出するとともに、アクセル開度センサ２４による測定結果についても運行記録としてメモリカード２３に記録する。
【００１７】
ここで、アクセルの開度とは、車両に設けられたアクセルペダルが踏み込まれていない状態（エンジンアイドリング状態）を０％とし、アクセルペダルが最大限踏み込まれた状態を１００％として、アクセルペダルの踏み込み量に伴う燃料噴出量の割合で示した値のことである。また、例えば、エンジンブレーキが効いているような場合など、車両の走行状態によっては、燃料噴出量（即ち、アクセル開度）がエンジンアイドリング状態より小さくなるように制御される場合がある。そのような場合について、アクセル開度は、アクセルペダル踏み込み時と同じの割合のマイナス値を用いて示している。
【００１８】
このデジタルタコグラフ１は、車両の運行を管理する管理会社などに設置されたパソコン等で構成された情報管理装置（図示なし）と無線通信で接続されており、デジタルタコグラフ１と情報管理装置とで運行管理システムが構成されている。
【００１９】
図２（ａ）、（ｂ）に示すように、デジタルタコグラフ１は、箱状の筐体によって本体１ａが形成されている。本体１ａは、合成樹脂等によって形成されており、その前面部にはフロントケース１ｂが設けられている。このデジタルタコグラフ１は、フロントケース１ｂが車両の運転席側に向けて配置されるようにして当該車両に取り付けられる。
【００２０】
フロントケース１ｂは、カバー１ｃと、挿入口１ｄと、表示部２７と、操作部２８と、を有して構成されている。
【００２１】
カバー１ｃは、前面が板状に形成されており、フロントケース１ｂの高さとほぼ等しく、且つ、挿入口１ｄを塞ぐ大きさとなっている。カバー１ｃは、フロントケース１ｂの前面側（図２の紙面手前側）に設けられて、フロントケース１ｂの幅方向（図２の左右方向）にスライド可能な構成となっている。つまり、カバー１ｃは、挿入口１ｄを覆い隠す閉状態（図２（ａ））と、挿入口１ｄに対するメモリカード２３の出し入れが可能な開状態（図２（ｂ））とに遷移する構成となっている。
【００２２】
挿入口１ｄは、フロントケース１ｂの左側寄りの箇所に幅方向にスリット状に形成されている。挿入口１ｄには、本体１ａ内に収容される外部記録メディアインタフェース１３（図３参照）のリーダライタ部に装着されるカード状のメモリカード２３が挿入／取り出しされる。
【００２３】
表示部２７は、ＬＣＤディスプレイで構成されており、運行状況、各種警報等を表示する。また、表示部２７は、車両の状態を示すメッセージを表示可能に構成されている。
【００２４】
操作部２８は、始／終スイッチ２８ａと、表示切替スイッチ２８ｂと、走／休スイッチ２８ｃと、高速スイッチ２８ｄと、専用道スイッチ２８ｅと、を有している。
【００２５】
始／終スイッチ２８ａは、押圧操作に応じて、運行情報の記録を開始及び終了するための信号を発生する。表示切替スイッチ２８ｂは、押圧操作に応じて機能、表示画面等の切り替えるための信号を発生する。走／休スイッチ２８ｃは、運行情報の記録が開始されているときの押圧操作に応じて、運行中の一時的な休憩の開始及び終了を運行情報として記録するための信号を発生する。高速スイッチ２８ｄは、一般道路と高速道路との走行道路の切り替わり時に操作され、当該操作を運行情報として記録するための信号を発生する。専用道スイッチ２８ｅは、一般道路と専用道路との走行道路の切り替わり時に操作され、当該操作を運行情報として記録するための信号を発生する。
【００２６】
また、フロントケース１ｂには、複数の小径の貫通孔からなる音声出力部１ｅが設けられており、この音声出力部１ｅの奥側（図２の紙面奥側）にスピーカ２６が配設されている。
【００２７】
図３に示すように、デジタルタコグラフ１は、ＣＰＵ２、不揮発性メモリ３、速度インタフェース（以下Ｉ／Ｆ）１０、エンジン回転数Ｉ／Ｆ１１、ＧＰＳＩ／Ｆ１２、外部記録メディアＩ／Ｆ１３、アクセル開度センサＩ／Ｆ１４、音声Ｉ／Ｆ１６、スピーカ２６、ＬＣＤコントローラ１７、表示部２７、操作部Ｉ／Ｆ１８、操作部２８、通信端末Ｉ／Ｆ１９、及び、図示しない電源などを備えている。
【００２８】
上記電源は、デジタルタコグラフ１が搭載されている車両のバッテリやイグニッションスイッチと接続され、イグニッションスイッチに連動してデジタルタコグラフ１に電源供給する。
【００２９】
ＣＰＵ２は、ＲＯＭやＲＡＭなどを内蔵しており、ＲＯＭに予め記憶された制御プログラムによってデジタルタコグラフ１全体の制御を司る。ＣＰＵ２は、例えば、運行記録処理として、速度Ｉ／Ｆ１０、エンジン回転数Ｉ／Ｆ１１、ＧＰＳＩ／Ｆ１２、及び、アクセル開度センサＩ／Ｆ１４からの信号を基に車両データを収集して、外部記録メディアＩ／Ｆ１３に接続された、例えば、ＣＦカードなどの可搬型のメモリカード２３に記録する処理を行う。ＣＰＵ２は、これ以外にも、後述する車両状態表示処理を行う。
【００３０】
速度Ｉ／Ｆ１０には、単位距離走行する毎に走行パルス信号を出力する速度センサ２０が接続されていて、この速度センサ２０は、速度Ｉ／Ｆ１０を介して上記走行パルス信号をＣＰＵ２に対して出力する。
【００３１】
エンジン回転数Ｉ／Ｆ１１には、車両のエンジン回転数を検出して当該エンジン回転数を示す信号を出力する回転数センサ２１が接続されていて、回転数センサ２１は、エンジン回転数Ｉ／Ｆ１１を介して上記エンジン回転数を示す信号をＣＰＵ２に対して出力する。
【００３２】
ＧＰＳＩ／Ｆ１２には、ＧＰＳを構成する複数のＧＰＳ衛星から供給される位置及び時刻を示す信号を受信するＧＰＳ受信機２２が接続されている。このＧＰＳ受信機２２は、ＧＰＳＩ／Ｆ１２を介して位置信号及び時刻信号をＣＰＵ２に対して出力する。この位置信号は緯度経度を含み、即ち、車両の位置を示す位置情報である。
【００３３】
外部記録メディアＩ／Ｆ１３には、メモリカード２３を着脱可能なリーダライタ部が設けられている。外部記録メディアＩ／Ｆ１３は、ＣＰＵ２の制御に応じてリーダライタ部に取り着けられたメモリカード２３に車両データ等を記録したり、メモリカード２３に記録された情報を読み出したりする。
【００３４】
アクセル開度センサＩ／Ｆ１４には、車両のアクセルの開度を測定するアクセル開度センサ２４が接続されている。このアクセル開度センサ２４は、例えば、車両のエンジンに燃料を供給する燃料噴出装置を制御する電子制御装置（ＥＣＵ）と通信可能に接続されたコンピュータ等で構成されており、通信によりＥＣＵから現在の燃料噴出量を取得して、アクセル開度センサＩ／Ｆ１４を介して当該取得結果に応じた情報（現在の燃料噴出量）を含むアクセル開度信号をＣＰＵ２に出力する。
【００３５】
なお、アクセル開度センサについては、このような構成に限定されるものではない。例えば、後述する車両状態判定マップ情報においてアクセル開度の取りうる値の範囲の一部を示す高アクセル開度範囲ＢＨ及び低アクセル開度範囲ＢＬが、それぞれ０％より大きい値からなる範囲に設定されている場合には、アクセル開度センサを、車両に揺動可能に取り付けられたアクセルアームの揺動軸部に配設されたロータリエンコーダで構成するなどしてもよい。このような構成では、アクセル開度センサは、アクセルペダルが踏み込まれていない状態からのアクセルアームの揺動角度（即ち、アクセル開度）を測定するとともに、アクセル開度センサＩ／Ｆ１４を介して当該測定結果に応じた測定情報を含むアクセル開度信号をＣＰＵ２に出力する。また、このような構成では、アクセル開度が０％以下のときは、アクセル開度が０％として検出される。
【００３６】
音声Ｉ／Ｆ１６には、フロントケース１ｂの音声出力部１ｅの奥側に設けられ、車両の運転席に向けて配置されたスピーカ２６が接続されていて、このスピーカ２６は、ＣＰＵ２から音声Ｉ／Ｆ１６を介して入力された音声信号に応じた音声を出力する。
【００３７】
ＬＣＤコントローラ１７には、上述した表示部２７が接続されていて、表示部２７は、ＣＰＵ２からＬＣＤコントローラ１７を介して入力された画像信号に応じた文字や図形などの画像を表示部２７に表示する。
【００３８】
操作部Ｉ／Ｆ１８には、上述した操作部２８が接続されていて、この操作部２８は、操作部Ｉ／Ｆ１８を介して、入力された操作に応じた信号をＣＰＵ２に対して出力する。
【００３９】
通信端末Ｉ／Ｆ１９には、例えば、公衆無線通信回線を利用した無線通信が可能な通信端末２９が接続されていて、この通信端末２９は、ＣＰＵ２の制御に応じて、情報管理装置に車両データ等を通信端末Ｉ／Ｆ１９を介して送信したり、上記情報管理装置から各種情報を受信して通信端末Ｉ／Ｆ１９を介してＣＰＵ２に対して出力したりする。
【００４０】
不揮発性メモリ３は、電気的消去／書き換え可能な読み出し専用のメモリであり、例えば、周知のＥＥＰＲＯＭやフラッシュメモリが用いられている。この不揮発性メモリ３には、例えば、デジタルタコグラフ１が搭載された車両に固有の識別データや、後述する車両状態表示処理で用いられる車両状態判定マップ情報、アクセルペダルが踏み込まれていないときの燃料噴出量（アイドリング時燃料噴出量）、アクセルペダルが最大限踏み込まれたときの燃料噴出量（最大燃料噴出量）などの各種情報が記憶されている。
【００４１】
図５に車両状態判定マップ情報の一例を示す。この車両状態判定マップ情報は、車両の加速度及びアクセル開度と、車両の状態と、の関係を示す情報である。車両状態判定マップ情報は、例えば、デジタルタコグラフ１が搭載される車種において、実走行時の加速度及びアクセル開度と、そのときの車両の状態と、を収集して、これら収集した情報に基づいて作成されている。もちろん、車両状態判定マップ情報は、シミュレーションなどに基づいて作成されていてもよい。
【００４２】
図５の車両状態判定マップ情報は、横軸を加速度とし、縦軸をアクセル開度として、加速度について、高加速度範囲ＡＨ及びその下限値より低い値からなる低加速度範囲ＡＬを設定し、アクセル開度について、高アクセル開度範囲ＢＨ及びその下限値より低い値からなる低アクセル開度範囲ＢＬを設定して、構成されている。そして、高加速度範囲ＡＨ及び低加速度範囲ＡＬと、高アクセル開度範囲ＢＨ及び低アクセル開度範囲ＢＬとで区画された４つの領域（領域１〜４）を含んで構成されている。
【００４３】
具体的には、車両状態判定マップ情報には、（１）低加速度範囲ＡＬ及び低アクセル開度範囲ＢＬで区画された「領域１」、（２）低加速度範囲ＡＬ及び高アクセル開度範囲ＢＨで区画された「領域２」、（３）高加速度範囲ＡＨ及び低アクセル開度範囲ＢＬで区画された「領域３」、及び、（４）高加速度範囲ＡＨ及び高アクセル開度範囲ＢＨで区画された「領域４」が含まれている。そして、これら４つの領域それぞれが、互いに異なる車両状態を示すように、高加速度範囲ＡＨ、低加速度範囲ＡＬ、高アクセル開度範囲ＢＨ、及び、低アクセル開度範囲ＢＬが、実走行時に収集した情報やシミュレーションなどで得た情報に基づいて設定されている。
【００４４】
車両の加速度及びアクセル開度を車両状態判定マップに当てはめたときに、これら加速度及びアクセル開度によって示される車両状態判定マップ情報上の点が「領域１」に含まれるとき、つまり、車両の加速度及びアクセル開度によって特定された車両状態判定マップ情報の領域が「領域１」であるとき、加速度が小さく且つアクセル開度が小さい状態、つまり、車両が、アクセルの開度に応じた効率の良い加速度で走行している状態にあることを示している。
【００４５】
また、車両の加速度及びアクセル開度によって特定された車両状態判定マップ情報の領域が「領域２」であるとき、加速度が小さく且つアクセル開度が大きい状態、つまり、車両が、アクセルの開度が大きいにもかかわらず十分に加速していない状態にあることを示している。
【００４６】
また、車両の加速度及びアクセル開度によって特定された車両状態判定マップ情報の領域が「領域３」であるとき、加速度が大きく且つアクセル開度が小さい状態、つまり、車両が、アクセル開度が小さいにもかかわらず注意を要する加速度で急加速している状態にあることを示している。
【００４７】
また、車両の加速度及びアクセル開度によって特定された車両状態判定マップ情報の領域が「領域４」であるとき、加速度が大きく且つアクセル開度が大きい状態、つまり、車両が、アクセルの開き過ぎにより注意を要する加速度で急加速している状態にあることを示している。
【００４８】
本実施形態において、高加速度範囲ＡＨは３．００［ｋｍ／ｈ／０．５秒］以上で且つ６．００［ｋｍ／ｈ／０．５秒］未満に設定され、低加速度範囲ＡＬは、０．００［ｋｍ／ｈ／０．５秒］以上で且つ３．００［ｋｍ／ｈ／０．５秒］未満に設定されている。また、高アクセル開度範囲ＢＨは、５０［％］以上で且つ１００［％］以下に設定され、低アクセル開度範囲ＢＬは、０［％］以上で且つ５０［％］未満に設定されている。
【００４９】
なお、本実施形態において、車両状態判定マップ情報における高加速度範囲ＡＨ、低加速度範囲ＡＬ、高アクセル開度範囲ＢＨ、及び、低アクセル開度範囲ＢＬが、一定の範囲になるように設定されているが、これに限定されるものではない。
【００５０】
例えば、車両状態判定マップ情報において、図６に示すように、高アクセル開度範囲ＢＨ及び低アクセル開度範囲ＢＬが、検出された加速度に応じて段階的に変化するように設定されている構成、図７に示すように、高アクセル開度範囲ＢＨ及び低アクセル開度範囲ＢＬが、検出された加速度に比例して変化するように設定されている構成、図８に示すように、高アクセル開度範囲ＢＨ及び低アクセル開度範囲ＢＬが、検出された加速度に比例して変化し、且つ、高加速度範囲ＡＨ及び低加速度範囲ＡＬが、検出されたアクセル開度に比例して変化するように設定された構成、など、高加速度範囲ＡＨ及び低加速度範囲ＡＬが、車両のアクセル開度に応じて複数の異なる加速度範囲となるように設定されていたり、高アクセル開度範囲ＢＨ及び低アクセル開度範囲ＢＬが、車両の加速度に応じて複数の異なるアクセル開度範囲となるように設定されていたりする構成であってもよい。
【００５１】
このようにすることで、車両の特性などに合わせて各加速度範囲及び各アクセル開度範囲をきめ細かく設定することができるので、車両の状態を精度良く表示することができる。
【００５２】
本実施形態における車両状態判定マップ情報は、一例として、不揮発性メモリ３にデータテーブル形式で記憶されている。勿論、車両状態判定マップ情報の記憶形式はこれに限定されるものではなく、高加速度範囲ＡＨ、低加速度範囲ＡＬ、高アクセル開度範囲ＢＨ、及び、低アクセル開度範囲ＢＬにおける上限値、下限値について、固定値や関数などで表した形式などで記憶されていてもよい。
【００５３】
次に、上述した構成のデジタルタコグラフ１の本発明に係る動作（車両状態表示処理）を、図４のフローチャートを参照して説明する。
【００５４】
運転者は車両に乗車する前に管理会社においてメモリカード２３を受け取る。このメモリカード２３には、管理会社内に設置された情報管理装置などよって車両の識別データや、その日の荷積み・荷下ろしを行う必要のある荷積地・荷下地についての情報などが記憶されている。運転者は、受け取ったメモリカード２３をデジタルタコグラフ１の外部記録メディアＩ／Ｆ１３に装着した後、車両のイグニッションスイッチをオンする。このイグニッションスイッチのオンに応じてＣＰＵ２に電源が供給される。その後、ＣＰＵ２が、操作部２８に運行情報の記録開始を要求する操作が入力されたことを検出すると、当該車両における速度やエンジン回転数、走行している位置、アクセル開度などの車両データを収集して運行情報としてメモリカード２３に記録する運行記録処理を開始する。また、これと並行して、ＣＰＵ２は、所定のタイミング（例えば、０．５秒毎）で、図４に示す車両状態表示処理のステップＳ１１０に処理を進める。
【００５５】
ステップＳ１１０では、車両の加速度を検出する。具体的には、ＣＰＵ２は、速度センサ２０から単位走行距離を走行する毎に出力された走行パルス信号のパルス間隔時間を測定し、このパルス間隔時間と単位走行距離とに基づいて現在の速度を検出して、ＣＰＵ２に内蔵されたＲＡＭに一時的に記憶する。そして、ＣＰＵ２は、現在の速度から、その直前に実行された本処理においてＲＡＭに記憶した直前の速度（即ち、０．５秒前の速度）を差し引いた値を車両の加速度［ｋｍ／ｈ／０．５秒］として検出する。そして、ステップＳ１２０に進む。
【００５６】
ステップＳ１２０では、アクセル開度を検出する。具体的には、ＣＰＵ２は、アクセル開度センサ２４から出力されたアクセル開度信号に示される燃料噴出量と、不揮発性メモリ３に記憶されたアイドリング時燃料噴出量及び最大燃料噴出量と、に基づいてアクセル開度［％］を検出する。ここで、アクセル開度信号に示される燃料噴出量をＫ［Ｌ／秒］、アイドリング時燃料噴出量をＫｉ［Ｌ／秒］、最大燃料噴出量をＫｍ［Ｌ／秒］とすると、アクセル開度Ａは、次の式、
Ａ  ＝  （（Ｋ−Ｋｉ）／（Ｋｍ−Ｋｉ））×１００［％］
で表される。
そして、ステップＳ１３０に進む。
【００５７】
ステップＳ１３０では、ＣＰＵ２は、不揮発性メモリ３に記憶された車両状態判定マップ情報に、ステップＳ１１０で検出した加速度及びステップＳ１２０で検出したアクセル開度を当てはめることによって特定される領域を判定する。そして、特定された領域が「領域４」のとき、ステップＳ１４０に進み（Ｓ１３０で「領域４」）、「領域３」のとき、ステップＳ１５０に進み（Ｓ１３０で「領域３」）、「領域２」のとき、ステップＳ１６０に進み（Ｓ１３０で「領域２」）、それら以外（「領域４」、「領域３」、「領域２」以外）のとき、本フローチャートの処理を終了する（Ｓ１３０で「それら以外」）。
【００５８】
ステップＳ１４０では、車両が危険な状態にあり且つ燃費の悪い状態にあることを通知する。具体的には、ＣＰＵ２は、車両が、アクセルの開き過ぎにより注意を要する加速度で車両が急加速している、危険で燃費の悪い状態にあるものとして、当該状態を通知するために、音声Ｉ／Ｆ１６を介してスピーカ２６に対して、例えば、「ピッポ、ピッポ、アクセルペダルの踏み過ぎにより、急加速して燃費が悪化しています」という音声メッセージを出力するための音声信号を出力する。スピーカ２６は、この音声信号に応じて上記音声メッセージを出力する。そして、本フローチャートの処理を終了する。なお、本明細書において、「表示」とは、視覚的に表示すること以外にも、聴覚的に表示（即ち、音声による通知）することなど、人が備える感覚によって認識させる動作を含む意味に用いている。
【００５９】
ステップＳ１５０では、車両が危険な状態にあることを通知する。具体的には、ＣＰＵ２は、車両が、アクセルの開度が小さいにもかかわらず注意を要する加速度で急加速している状態にあるものとして、当該状態を通知するために、音声Ｉ／Ｆ１６を介してスピーカ２６に対して、例えば、「ピーピーピー、自然に急加速しています」という音声メッセージを出力するための音声信号を出力する。スピーカ２６は、この音声信号に応じて上記音声メッセージを出力する。そして、本フローチャートの処理を終了する。
【００６０】
ステップＳ１６０では、車両が燃費の悪い状態にあることを通知する。具体的には、ＣＰＵ２は、車両が、アクセルの開度が大きいにもかかわらず十分に加速していない状態にあるものとして、当該状態を通知するために、音声Ｉ／Ｆ１６を介してスピーカ２６に対して、例えば、「ピッ、アクセルペダルの踏み過ぎです」という音声メッセージを出力するための音声信号を出力する。スピーカ２６は、この音声信号に応じて上記音声メッセージを出力する。そして、本フローチャートの処理を終了する。
【００６１】
上述したステップＳ１１０が、請求項中の加速度検出手段に相当し、ステップＳ１２０が、請求項中のアクセル開度検出手段に相当し、ステップＳ１３０が、請求項中の車両状態判定手段に相当し、ステップＳ１４０、Ｓ１５０、Ｓ１６０が、請求項中の車両状態表示手段に相当する。
【００６２】
次に、本実施形態のデジタルタコグラフ１における本発明に係る動作の一例を説明する。
【００６３】
デジタルタコグラフ１は、イグニッションスイッチがオンされると電源が供給されて動作を開始する。そして、車両の加速度を検出するともにアクセルの開度を検出して（Ｓ１１０、Ｓ１２０）、不揮発性メモリ３に記憶された車両状態判定マップ情報に当てはめて、当該車両状態判定マップに含まれる領域（領域１〜４）を特定する（Ｓ１３０）。
【００６４】
例えば、検出した加速度が４．００［ｋｍ／ｈ／０．５秒］、検出したアクセル開度が６０［％］だったとき、車両状態判定マップ情報において「領域４」が特定される（Ｓ１３０で「領域４」）。これにより、デジタルタコグラフ１は、アクセルの開き過ぎにより注意を要する加速度で車両が急加速している、危険で燃費の悪い状態にあるものとして、車両が危険な状態にあり且つ燃費の悪い状態にあることを通知するために、スピーカ２６から「ピッポ、ピッポ、アクセルペダルの踏み過ぎにより、急加速して燃費が悪化しています」という音声メッセージを出力する（Ｓ１４０）。
【００６５】
また、検出した加速度が３．００［ｋｍ／ｈ／０．５秒］、検出したアクセル開度が１０［％］だったとき、車両状態判定マップ情報において「領域３」が特定される（Ｓ１３０で「領域３」）。これにより、デジタルタコグラフ１は、車両が、アクセルの開度が小さいにもかかわらず注意を要する加速度で急加速している状態にあるものとして、車両が危険な状態にあることを通知するために、スピーカ２６から「ピーピーピー、自然に急加速しています」という音声メッセージを出力する（Ｓ１５０）。
【００６６】
また、検出した加速度が１．００［ｋｍ／ｈ／０．５秒］、検出した開度が７０［％］だったとき、車両状態判定マップ情報において「領域２」が特定される（Ｓ１３０で「領域２」）。これにより、デジタルタコグラフ１は、車両が、アクセルの開度が大きいにもかかわらず十分に加速していない状態にあるものとして、車両が燃費の悪い状態にあることを通知するために、スピーカ２６から「ピッ、アクセルペダルの踏み過ぎです」という音声メッセージを出力する。
【００６７】
また、検出した加速度が２．００［ｋｍ／ｈ／０．５秒］、検出した開度が１０［％］だったとき、車両状態判定マップ情報において、「領域２」、「領域３」、「領域４」以外の領域であることが特定される（Ｓ１３０で「それ以外」）。これにより、デジタルタコグラフ１は、車両が、危険な状態や燃費の悪い状態ではないものとして、何ら通知を行わない。
【００６８】
上述したように、本実施形態のデジタルタコグラフ１は、車両の加速度を検出するＣＰＵ２（加速度検出手段Ｐ１）と、車両のアクセル開度を検出するＣＰＵ２（アクセル開度検出手段Ｐ２）と、ＣＰＵ２にて検出された加速度及びＣＰＵ２にて検出されたアクセル開度を、車両の加速度及び車両のアクセル開度と車両の状態との関係を示す所定の車両状態判定マップ情報に当てはめて、車両の状態を判定するＣＰＵ２（車両状態判定手段Ｐ３）と、ＣＰＵ２にて判定された車両の状態に応じた情報を表示するＣＰＵ２（車両状態表示手段Ｐ４）と、を有し、ＣＰＵ２（車両状態判定手段Ｐ３）は、ＣＰＵ２にて検出された加速度及びＣＰＵ２にて検出されたアクセル開度によって特定された車両状態判定マップ情報の領域が、車両の加速度が取りうる値の範囲の一部である所定の高加速度範囲ＡＨ及び車両のアクセル開度が取りうる値の範囲の一部である所定の低アクセル開度範囲ＢＬで区画された領域（「領域３」）であるとき、車両が危険な状態にあると判定するように構成されている。
【００６９】
また、ＣＰＵ２（車両状態判定手段Ｐ３）は、さらに、ＣＰＵ２にて検出された加速度及びＣＰＵ２にて検出されたアクセル開度によって特定された車両状態判定マップ情報の領域が、高加速度範囲ＡＨ及び低アクセル開度範囲ＢＬの上限値より大きい値からなる車両のアクセル開度が取りうる値の範囲の他の一部である所定の高アクセル開度範囲ＢＨで区画された領域（「領域４」）であるとき、車両が危険な状態にあり且つ燃費の悪い状態にあると判定するように構成されている。
【００７０】
また、ＣＰＵ２（車両状態判定手段Ｐ３）は、さらに、ＣＰＵ２にて検出された加速度及びＣＰＵ２にて検出されたアクセル開度によって特定された車両状態判定マップ情報の領域が、高加速度範囲ＡＨの下限値より小さい値からなる車両の加速度が取りうる値の範囲の他の一部である所定の低加速度範囲ＡＬ及び高アクセル開度範囲ＢＨで区画された領域（「領域２」）であるとき、記車両が燃費の悪い状態にあると判定するように構成されている。
【００７１】
以上より、本実施形態によれば、車両の加速度及びアクセル開度によって特定された車両状態判定マップ情報の領域が、所定の高加速度範囲ＡＨ及び所定の低アクセル開度範囲ＢＬで区画された領域（「領域３」）であるとき、当該車両が危険な状態にあると判定して、その状態に応じた情報を表示するので、車両状態判定マップ情報を適切に設定することで、車両が、アクセル開度が小さいにもかかわらず注意を要する加速度で急加速している状態、つまり、アクセル開度に応じた加速を超える急加速をしてしまう危険な状態となるような運転操作をしていることを運転者に認識させることができる。これにより、車両の走行中に取得した加速度及びアクセル開度に基づいてリアルタイムで上記状態を表示して、走行中に運転者に注意を促すことができ、車両の運転を支援することができる。
【００７２】
また、さらに、車両の加速度及びアクセル開度によって特定された車両状態判定マップ情報の領域が、所定の高加速度範囲ＡＨ及び所定の高アクセル開度範囲ＢＨで区画された領域（「領域４」）であるとき、当該車両が危険な状態にあり且つ燃費の悪い状態にあると判定して、その状態に応じた情報を表示するので、車両状態判定マップ情報を適切に設定することで、車両が、アクセルの開き過ぎにより注意を要する加速度で急加速している状態、つまり、危険で且つ燃費の悪い状態となるような運転操作をしていること運転者に認識させることができる。
【００７３】
また、さらに、車両の加速度及びアクセル開度によって特定された車両状態判定マップ情報の領域が、所定の低加速度範囲ＡＬ及び所定の高アクセル開度範囲ＢＨで区画された領域（「領域２」）であるとき、当該車両が燃費の悪い状態にあると判定して、その状態に応じた情報を表示するので、車両状態判定マップ情報を適切に設定することで、車両が、アクセルの開度が大きいにもかかわらず十分に加速していない状態、つまり、アクセルの開度に応じた加速を下回る緩い加速をしてしまう燃費の悪い状態となるような運転操作をしていることを運転者に認識させることができる。
【００７４】
上述した本実施形態では、スピーカ２６から音声メッセージを出力することにより車両の状態を通知するものであったが、これに限定されるものではない。例えば、音声メッセージに代えて、または、音声メッセージの出力と並行して、表示部２７に音声メッセージと同様のメッセージを表示することにより、車両の状態をするように構成されていてもよい。または、複数色（例えば、赤色、オレンジ色、黄色など）のＬＥＤを備えるとともに、各車両状態を各色に割り当て、そして、メッセージの表示に代えて、当該メッセージの表示タイミングでＬＥＤを発光（即ち、表示）させるようにしてもよい。
【００７５】
また、本実施形態において、図４のフローチャートに示す車両状態表示処理では、車両の加速度及びアクセル開度により特定される車両状態判定マップ情報の領域が「領域２」、「領域３」、「領域４」以外のとき（即ち、Ｓ１３０で「それら以外」のとき）は、何も処理を行わずに終了するものであったが、これに限定されるものではない。例えば、図４のフローチャートのステップＳ１３０において、さらに、車両の加速度及びアクセル開度により特定される車両状態判定マップ情報の領域が「領域１」であることを判定して、このときに、例えば、表示部２７に「良好な状態です」というメッセージを表示するようにしたり、または、緑色や青色のＬＥＤを備えて当該ＬＥＤを発光させるようにしたり、してもよい。
【００７６】
つまり、ＣＰＵ２（車両状態判定手段Ｐ３）は、さらに、ＣＰＵ２にて検出された加速度及びＣＰＵ２にて検出された前記アクセル開度によって特定された車両状態判定マップ情報の領域が、低加速度範囲ＡＬ及び低アクセル開度範囲ＢＬで区画された領域（「領域１」）であるとき、車両が危険な状態になく且つ燃費の悪い状態にないと判定するように構成されていてもよい。
【００７７】
このようにすることで、さらに、車両の加速度及びアクセル開度によって特定された車両状態判定マップ情報の領域が所定の低加速度範囲ＡＬ及び所定の低アクセル開度範囲ＢＬで区画された領域（「領域１」）であるとき、当該車両が危険な状態になく且つ燃費の悪い状態にないと判定して、その状態に応じた情報を表示（メッセージの表示やＬＥＤの発光）するので、車両状態判定マップ情報を適切に設定することで、車両が、アクセルの開度に応じた効率の良い加速度で走行している状態、つまり、安全で燃費の良い状態となるような運転操作をしていることを運転者に認識させることができる。
【００７８】
また、本実施形態では、運転支援装置の一例としてのデジタルタコグラフについて説明するものであったが、これに限定されるものではなく、例えば、タクシーメータやカーナビゲーション装置などに本発明を適用してもよい。
【００７９】
また、本実施形態では、デジタルタコグラフにおいて走行中にリアルタイムで車両の状態を通知することで運転を支援するものであったが、これに限定されるものではない。例えば、車両の運行を管理する管理会社などに設置されたパソコン等で構成された情報管理装置において、デジタルタコグラフ１によってメモリカード２３に記録された、車両の速度及びアクセル開度を含む運行情報を用い、上記車両状態表示処理と同様の処理を行うことにより、事後的に車両の状態を解析してパソコンの画面や印刷用紙などに表示する構成などであってもよい。
【００８０】
このようにすることで、車両の走行中に収集した加速度及びアクセル開度について走行後に解析し車両の状態を表示して、走行後に運転者に運転指導することができ、車両の運転を支援することができる。
【００８１】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００８２】
１      デジタルタコグラフ（運転支援装置）
２      ＣＰＵ（加速度検出手段、アクセル開度検出手段、車両状態判定手段、車両状態表示手段）
３      不揮発性メモリ
ＡＨ    高加速度範囲
ＡＬ    低加速度範囲
ＢＨ    高アクセル開度範囲
ＢＬ    低アクセル開度範囲
【図１】
2013155629.tif 000003
【図２】
2013155629.tif 000004
【図３】
2013155629.tif 000005
【図４】
2013155629.tif 000006
【図５】
2013155629.tif 000007
【図６】
2013155629.tif 000008
【図７】
2013155629.tif 000009
【図８】
2013155629.tif 000010